(57)【要約】【課題】遊技成績が把握し易く、遊技演出が良好に行えるようになる遊技機の提供。【解決手段】スロットマシン１の幅方向に沿って延びる溝形状に形成された受け皿３０に対し、払い出し口５を含む内側の空間とその外側の空間とを仕切る仕切壁部３１を設け、且つ、この仕切壁部３１を幅方向に沿って多段に位置変更可能に形成する。これにより、メダルと景品との交換レートに応じて仕切壁部３１の位置を設定し、受け皿３０がメダルで満されている割合と、遊技成績とをほぼ一致させる。従って、受け皿３０が、どの程度メダルで満されているかを見るだけで、おおよその遊技成績が容易に把握でき、遊技演出が良好に行えるようになる。【選択図】    図２
2004187813.tif 000002
【特許請求の範囲】
【請求項１】
その幅方向に沿って延びる溝形状に形成された受け皿を備えた遊技機であって、
前記受け皿は、当該遊技機の払い出し口から払い出されるゲーム開始媒体を受けるものであり、この受け皿には、前記払い出し口を含む内側の空間とその外側の空間とを仕切る仕切壁部が備えられ、この仕切壁部が当該幅方向に沿って多段に位置変更可能に設けられていることを特徴とする遊技機。
【請求項２】
当該遊技機は、入賞すると、前記ゲーム開始媒体としてのメダルを遊技者に払い出しするスロットマシンであり、前記受け皿は、払い出されたメダルを受けるものであり、前記仕切壁部は、収納メダル枚数が変更可能なように、複数段階の位置に固定可能に形成されていることを特徴とする請求項１記載の遊技機。
【請求項３】
前記仕切壁部は、遊技者による位置変更操作が可能となっていることを特徴とする請求項１又は２記載の遊技機。
【請求項４】
前記仕切壁部は、遊技者による位置変更操作が不可能となっていることを特徴とする請求項１又は２記載の遊技機。
【発明の詳細な説明】
【０００１】
【発明が属する技術分野】
本発明は、払い出し口から払い出されるメダル等のゲーム開始媒体を受ける受け皿を備えた遊技機に関する。
【０００２】
【従来の技術】
従来から、スロットマシンやパチンコ遊技機等の遊技機は、人々に娯楽を提供するための手段として利用されている。このうち、スロットマシンは、複数種類の図柄が記されるとともに回転駆動可能に設けられた複数の回転リールを備えた遊技機である。このような遊技機では、メダルを投入して遊技を開始し、回転駆動させた複数の回転リールを適宜停止させ、これらの回転リールに表示された図柄が特定の組合せとなったときに入賞となる。そして、入賞すると、遊技機に設けられている払い出し口から、入賞した役に応じた数のメダルが遊技者へ払い出されるようになっている。
そして、メダルの払い出しを受けた遊技者は、メダルと景品との間に設定された交換レートに基づいて、メダルを景品に交換することができる。ここで、メダルと景品との交換レートは、遊技場によって相違するとともに、時期や状況によっても異なる値に設定される。
【０００３】
このような遊技機の下端縁近傍には、払い出し口から払い出されるメダルを受ける受け皿が設けられている。
受け皿としては、遊技機の前面パネルと一体成形された合成樹脂製のものが一般的である。また、受け皿は、遊技機の幅方向に沿って延びる溝形状に形成され、所定容積を備えた容器となっている（例えば、特許文献１参照。）。
そして、受け皿を満たすメダルの枚数は、ほぼ所定の数量となる。このため、受け皿がどの程度メダルで満されているかを勘案すれば、メダルのおおよその枚数が把握できるので、遊技者は、メダルの枚数を知るための目安として受け皿を有効利用することができる。
【０００４】
【特許文献１】
特開２０００−８４１４４号公報（図２、図３）
【０００５】
【発明が解決しようとする課題】
前述のような遊技機では、遊技者があげた遊技成績が同じでも、メダルと景品との交換レートが相違すれば、獲得したメダルの枚数が相違するので、受け皿がどの程度メダルで満されているかだけでは、遊技成績が把握できない。例えば、交換レートが高い場合には、受け皿の容積に対してメダルが占める容積が少ないからといって、悪い成績であることにはならない。
このため、遊技者が、遊技に勝っているにもかかわらず、負けていると思い込み、遊技をつまらなく感じるという問題、換言すれば、遊技成績が把握しにくく、遊技演出が良好に行えないという問題がある。
【０００６】
そこで、各請求項にそれぞれ記載された各発明は、上記した従来の技術の有する問題点に鑑みてなされたものであり、その目的とするところは、遊技成績が把握し易く、遊技演出が良好に行えるようになる遊技機を提供することである。
【０００７】
【課題を解決するための手段】
各請求項にそれぞれ記載された各発明は、上記した各目的を達成するためになされたものであり、各発明の特徴点を図面に示した発明の実施の形態を用いて、以下に説明する。
なお、符号は、発明の実施の形態において用いた符号を示し、本発明の技術的範囲を限定するものではない。
【０００８】
（請求項１）
（特徴点）
請求項１記載の発明は、次の点を特徴とする。
すなわち、請求項１記載の発明は、その幅方向に沿って延びる溝形状に形成された受け皿（３０，  ５０）を備えた遊技機（１）であって、前述の受け皿（３０，  ５０）が、当該遊技機（１）の払い出し口（５）から払い出されるゲーム開始媒体を受けるものであり、この受け皿（３０，  ５０）には、前記払い出し口（５）を含む内側の空間とその外側の空間とを仕切る仕切壁部（３１，  ５１）が備えられ、この仕切壁部（３１，  ５１）が当該幅方向に沿って多段に位置変更可能に設けられていることを特徴とする。
この際、前記仕切壁部としては、遊技機（１）から分離不可能とされ、且つ、遊技機（１）の幅方向に沿って摺動可能に設けられるとともに、複数の異なる位置のうちの一つに選択的に固定可能となった摺動式仕切壁部（５０）、又は、遊技機（１）に着脱可能とされ、且つ、複数の異なる位置のうちの一つに取り付け可能となった着脱式仕切壁部（３１）等が採用できる。
【０００９】
（作用）
本発明によれば、メダル等のゲーム開始媒体と景品との交換レートに応じて仕切壁部（３１，  ５１）の位置を設定することが可能となるので、交換レートに応じた位置に仕切壁部（３１，  ５１）を配置することにより、受け皿（３０，  ５０）がゲーム開始媒体で満されている割合と、遊技成績とがほぼ一致するようになり、受け皿（３０，  ５０）が、どの程度ゲーム開始媒体で満されているかを見るだけで、おおよその遊技成績が容易に把握でき、遊技演出が良好に行えるようになる。
【００１０】
（請求項２）
（特徴点）
請求項２記載の発明は、前述した請求項１に記載の発明において、次の特徴点を備えているものである。
すなわち、請求項２記載の発明は、当該遊技機（１）として、入賞すると、前記ゲーム開始媒体としてのメダルを遊技者に払い出しするスロットマシンが採用され、前記受け皿（３０，  ５０）は、払い出されたメダルを受けるものであり、前記仕切壁部（３１，  ５１）は、収納メダル枚数が変更可能なように、複数段階の位置に固定可能に形成されていることを特徴とする。
【００１１】
（作用）
遊技機としてのパチンコ遊技機では、受け皿の端部近傍に、パチンコ玉を発射するためのハンドルが設けられ、このハンドルにより受け皿の幅寸法が短く制限されるので、内部を仕切られた受け皿は、容量不足となり、有効利用が困難となる。一方、スロットマシンでは、受け皿の幅寸法を制限するハンドル等の装置が一切ないので、受け皿の内部を仕切っても、受け皿が容量不足とならない。
そこで、本発明によれば、スロットマシン（１）の受け皿（３０，  ５０）を仕切壁部（３１，  ５１）で仕切るので、受け皿（３０，  ５０）は、内部が仕切壁部（３１，  ５１）で仕切られても、必要な容量が充分確保され、受け皿（３０，  ５０）としての機能が損なわれず、その有効利用が可能となる。
【００１２】
（請求項３）
（特徴点）
請求項３記載の発明は、前述した請求項１又は２に記載の発明において、次の特徴点を備えているものである。
すなわち、請求項３記載の発明は、前記仕切壁部（５１）が、遊技者による位置変更操作が可能となっていることを特徴とする。
このような請求項３記載の発明では、前記仕切壁部として、前述の摺動式仕切壁部（５１）を採用するのが好ましい。
【００１３】
（作用）
本発明によれば、遊技者が自分の好みの位置に仕切壁部（５１）を固定できるので、遊技場側が切り替えたモードに対応した位置に仕切壁部（５１）を固定できるだけでなく、自分が目標とする成績に対応した枚数のメダルを収納できる位置に仕切壁部（５１）を固定することもでき、当該位置に仕切壁部（５１）を固定すれば、遊技者が目標とする遊技成績の達成率を容易に把握でき、遊技者自身が遊技を演出でき、この点からも、遊技演出が良好に行えるようになる。
【００１４】
（請求項４）
（特徴点）
請求項４記載の発明は、前述した請求項１又は２記載に記載の発明において、次の特徴点を備えているものである。
すなわち、請求項４記載の発明は、前記仕切壁部（３１）が、遊技者による位置変更操作が不可能となっていることを特徴とする。
【００１５】
（作用）
遊技者に位置変更操作を行わせると、交換レートに対応していない誤った位置に仕切壁部（３１）が固定される可能性が高くなり、遊技場の意図する遊技演出が良好に行えない場合が生じる。
しかしながら、本発明によれば、遊技場側の従業員等が仕切壁部（３１）の位置変更操作を行うので、メダル等のゲーム開始媒体と景品との交換レートに応じた位置に、ほぼ間違いなく仕切壁部（３１）が固定されるようになり、遊技場の意図する遊技演出が良好に且つ確実に行えるようになる。
【００１６】
【発明の実施の形態】
以下、本発明の実施の形態を図面に基づき説明する。
（第１実施形態）
図１ないし図５は、本発明の第１実施形態を示すものである。図１は、本第１実施形態に係る遊技機を示す正面図、図２は、本第１実施形態に係る受け皿を示す拡大斜視図、図３は、前記受け皿を示す拡大正面図、図４は、前記受け皿を示す拡大平面図、図５は、本第１実施形態に係る仕切壁部を示す図であって、図２のＶ−Ｖ線における拡大断面図である。
【００１７】
本第１実施形態に係る遊技機であるスロットマシン１は、遊技における入賞確率が互いに異なる複数の遊技モードが段階的に設定され、遊技場側でモードの切り替えが可能となった遊技機である。また、スロットマシン１は、図１に示すように、直方体の箱状に形成された筐体２を備えている。この筐体２は、３個の回転リール３Ａが横並びに設けられたリールユニット３を内蔵したものである。筐体２の前面部分には、そのほぼ中央に図柄表示窓２０Ａ  を備えた前面パネル２０が当該前面部分を覆うように設けられている。
【００１８】
また、図柄表示窓２０Ａ  は、３個すべての回転リール３Ａの回転が停止した際に、縦横３個ずつ配列された計９個の図柄が表示できるように形成されている。
具体的には、左側の回転リール３Ａの回転が停止すると、図柄表示窓２０Ａ  の左側部分の上段、中段及び下段にそれぞれ１個ずつ、合計３個の図柄が表示されるようになっている。中央及び右側の回転リール３Ａについても同様に、上段、中段及び下段にそれぞれ１個ずつ、合計３個の図柄が表示されるようになっている。これにより、３個すべての回転リール３Ａの回転が停止すると、図柄表示窓２０Ａ  には、縦横各３個の計９個からなる図柄が表示可能となっている。
この際、図柄表示窓２０Ａ  に表示された縦横各３個の計９個からなる図柄の配列パターンが、いわゆる「出目」である。
【００１９】
また、図柄表示窓２０Ａ  の下方には、貯留メダルを投入するためのベットスイッチ２１や、貯留メダルを払い出すための精算スイッチ２２や、回転リール３Ａの回転を開始させるためのスタートスイッチ４や、回転リール３Ａの回転を停止させるためのストップスイッチ２４などが設けられている。
また、図柄表示窓２０Ａ  の右方には、液晶ディスプレイ２５が設けられ、また、図柄表示窓２０Ａ  の上方には、演出用ランプ２６が設けられている。
また、前面パネル２０の下部には、払い出し口５が設けられている。この払い出し口５の図１中右方には、演出音を発するスピーカ２９が設けられ、払い出し口５の下方には、受け皿３０が設けられている。
【００２０】
受け皿３０は、払い出し口５から払い出されるゲーム開始媒体であるメダルを受けるものである。受け皿３０には、図２〜図４に示すように、払い出し口５を含む内側の空間と、その外側の空間とを仕切る、換言すると、払い出し口５側の空間の端部となる位置に配置される仕切壁部３１が設けられている。そして、この仕切壁部３１は、スロットマシン１の幅方向に沿って多段に位置変更可能に設けられ、且つ、複数段階の位置に固定可能に形成されている。このような仕切壁部３１により、受け皿３０は、その収納メダル枚数が変更可能となっている。
【００２１】
具体的には、前面パネル２０の下端縁近傍の部分は、図２〜図４の如く、スロットマシン１の幅方向に沿って延びる、断面Ｕ字形の溝形状に形成され、この部分が受け皿３０の本体３２となっている。
断面Ｕ字形の本体３２の二つの側壁３３Ａ，３３Ｂのうちの一方である側壁３３Ａ  は、前面パネル２０から突出している。
この側壁３３Ａ  は、仕切壁部３１が固定可能となった複数段階の位置に、それぞれ挿通孔３４が設けられたものとなっている。これらの挿通孔３４の各々は、側壁３３Ａ  を貫通する丸孔であるとともに、内部に後述する押しボタン部４１が挿入可能となっている。
本体３２の底面は、仕切壁部３１が固定可能となった複数段階の位置に、それぞれ複数の係止孔３５（図４にのみ示す。）が設けられたものとなっている。この係止孔３５の各々は、長方形の一辺の中央を突出させた形状、換言すれば漢字の「凸」字形の平面形状を有しているとともに、内部に後述する鉤部４２が挿入可能となっている。
【００２２】
一方、仕切壁部３１は、断面Ｕ字形の本体３２の溝形に応じた側面形状を有する部品であり、本体３２の内部に嵌合可能となっている。仕切壁部３１の側面の外法は、本体３２の内法よりも若干小さくされ、これにより、仕切壁部３１の本体３２への嵌め込みが容易に行えるようになっている。
仕切壁部３１の二つの側面３１Ａ，３１Ｂのうち、払い出し口５側の側面３１Ａ  は、両端縁が側壁３３Ａ，３３Ｂの各表面と連続するように突出している。
【００２３】
仕切壁部３１としては、例えば、図５に示すように、前述の押しボタン部４１及び鉤部４２を有するラッチ部材４０が、図５中左右に摺動可能に設けられた内部構造を備えたものが採用できる。このような仕切壁部３１の内部には、ラッチ部材４０を摺動方向に沿うように案内する一対のガイド片３５Ａ，３５Ｂと、ラッチ部材４０を図５中右方へ付勢するＬ字形に折れ曲がった板バネ３６とが設けられている。
【００２４】
ラッチ部材４０は、図５の如く、長方形の平板状に形成された基部４３を備えたものとなっている。ラッチ部材４０には、基部４３の図５中右上の角隅部から図５中右側へ延びた押しボタン部４１と、基部４３の図５中下方の両角隅部から、それぞれ図５中下側へ延びた鉤部４２とが設けられている。
また、基部４３には、当該基部４３を貫通するとともに、摺動方向に延びる長方形のガイド孔４４が形成されている。ガイド孔４４の内部には、仕切壁部３１側に設けられた一対のガイド片３５Ａ，３５Ｂのうち、図５中下方のガイド片３５Ｂ  が挿通されている。基部４３は、図５中上方の端面がガイド片３５Ａ  に案内されるとともに、ガイド孔４４の内面がガイド片３５Ｂ  に案内されるようになっている。
【００２５】
押しボタン部４１は、基部４３側の部分が平板状に形成されるとともに、先端部分が円柱状に形成されている。押しボタン部４１の先端部分は、仕切壁部３１の図５中右側の端面３７に形成された円形の挿通孔３７Ａ  に挿通され、端面３７に対して突没可能となっている。
鉤部４２は、Ｌ字形の平面形状を有するものとなっている。鉤部４２の先端部分は、仕切壁部３１の図５中下側の端面３８に形成された長方形の挿通孔３８Ａ  に挿通され、端面３８から突出している。そして、押しボタン部４１を押圧すると、鉤部４２は、図５中左側へ移動するようになっている。
【００２６】
ここで、本体３２の所定位置に仕切壁部３１を嵌合させた状態にすると、仕切壁部３１の押しボタン部４１は、本体３２の挿通孔３４に挿入可能な位置に配置されるようになっている。そして、押しボタン部４１を押圧して、仕切壁部３１の内部に埋没させ、鉤部４２を図５中左側へ移動させると、仕切壁部３１の鉤部４２は、本体３２の係止孔３５に挿入可能な位置に配置されるようになっている。
【００２７】
押しボタン部４１の先端部分が端面３７から突出する突出寸法は、本体３２の挿通孔３４の全長よりも小さくされている。これにより、押しボタン部４１は、本体３２の挿通孔３４に挿入しても、反対側の面から突出しないようになっている。
このため、本体３２の挿通孔３４に挿入した押しボタン部４１を押し返すには、挿通孔３４に挿入可能となる棒状の工具、例えば、スクリュードライバー（以下、「ドライバー」と略す。）を用意し、ドライバーの先端を挿通孔３４に挿入して、ボタン部４１の押圧を行うようになっている。
また、ラッチ部材４０を付勢する板バネ３６としては、ドライバー等の工具を利用しなければ、ボタン部４１の押圧が困難となるように、充分強力な弾性力を備えたものが採用されている。これにより、工具を持たない遊技者には、ボタン部４１の押圧が行えないようになっている。
【００２８】
このような本実施形態では、次のように仕切壁部３１の着脱を行う。
すなわち、受け皿３０の本体３２に対して仕切壁部３１の嵌合を開始すると、仕切壁部３１が本体３２の内部に押し込まれるにしたがい、仕切壁部３１の押しボタン部４１は、本体３２に設けられた側壁３３Ａ  の傾斜した側面に案内されながら押圧され、ついには、仕切壁部３１の内部に埋没する。これにより、仕切壁部３１の鉤部４２は、図５中左側へ移動、換言すれば、本体３２の係止孔３５に挿入可能な位置に移動する。この状態で、仕切壁部３１を下降させ、仕切壁部３１の鉤部４２を本体３２の係止孔３５に挿通させる。
そして、仕切壁部３１を更に深い位置まで下降させ、押しボタン部４１を本体３２側に設けた挿通孔３４の深さレベルまで到達させると、板バネ３６に付勢された押しボタン部４１は、本体３２から突出して挿通孔３４に入り込む。これと同時に、押しボタン部４１とリンクしている鉤部４２は、図５中右側へ移動し、係止孔３５の周囲を囲む本体３２の底面部分に係止される。
この状態では、仕切壁部３１を上方に引き抜こうとしても、鉤部４２が係止され、本体３２から仕切壁部３１を引き抜くことが不可能となっている。また、この状態においては、係止孔３５の周囲を囲む本体３２の底面部分に鉤部４２が係止されるとともに、挿通孔３４の内周面に押しボタン部４１が係止されているので、仕切壁部３１は、スロットマシン１の幅方向に対する摺動も不可能となっている。
【００２９】
一方、仕切壁部３１を取り外すにあたり、本体３２の挿通孔３４に、ドライバー等の工具の先端を挿通孔３４に挿入して、ボタン部４１を押圧する。これにより、本体３２の底面部分による鉤部４２の係止が解除されるとともに、挿通孔３４の内周面による押しボタン部４１の係止が解除されるので、この状態で、仕切壁部３１を上方に引き抜けば、本体３２から仕切壁部３１を取り外すことができる。
【００３０】
このような仕切壁部３１を備えた受け皿３０は、景品との交換レート又は遊技モードに応じて、仕切壁部３１を取り外したままの状態、或いは、図２に示す位置Ａ及び位置Ｂのいずれかの位置に仕切壁部３１を取り付けた状態で利用できる。
例えば、仕切壁部３１を取り外した状態で、受け皿３０を使用する場合、受け皿３０には、約７５０枚までのメダルが収納可能となる。
図２に示す位置Ｂに仕切壁部３１を取り付けた状態で、受け皿３０を使用する場合、受け皿３０には、約５００〜５５０枚までのメダルが収納可能となる。この場合、仕切壁部３１の図２中右側の部分は、携帯電話機又は煙草の置き場所として利用することができる。
図２に示す位置Ａに仕切壁部３１を取り付けた状態で、受け皿３０を使用する場合、受け皿３０には、約３００〜３５０枚までのメダルが収納可能となる。この場合、仕切壁部３１の図２中右側の部分は、小物入れとして利用できる。
【００３１】
前述のような本実施形態によれば、次のような効果が得られる。
すなわち、払い出し口５を含む内側の空間とその外側の空間とを仕切る仕切壁部３１を、スロットマシン１の幅方向に沿って多段に位置変更可能とし、メダルと景品との交換レートに応じて仕切壁部３１の位置を設定するようにしたので、受け皿３０がメダルで満されている割合と、遊技成績とがほぼ一致するようになり、受け皿３０が、どの程度メダルで満されているかを見ることで、遊技者がおおよその遊技成績を容易に把握することができる。
従って、遊技者が遊技に勝っている場合には、勝っていることを確実に遊技者に把握させることができるので、スロットマシン１に設定した遊技演出により遊技を楽しいと遊具者に感じさせることができ、遊技演出を有効且つ良好に行うことができる。
【００３２】
また、仕切壁部３１を複数段階の位置に固定可能とし、受け皿３０の収納メダル枚数を変更可能としたので、遊技場側でスロットマシン１の遊技モードを切り替える際に、切り替えられた遊技モードに対応した位置に仕切壁部３１を配置することができる。例えば、入賞確率が最も低い遊技モードに切り替える際には、受け皿３０の容積が最も小さくなる位置Ａに仕切壁部３１を配置することができ、逆に、入賞確率が最も高いモードに切り替える際には、受け皿３０の容積が最も大きくなるように、受け皿３０から仕切壁部３１を取り外してしまうこともできる。
これにより、受け皿３０におけるメダルの占める割合と遊技成績とがほぼ一致し、受け皿３０が、どの程度メダルで満されているかを見るだけで、遊技者は遊技成績を容易に把握することができ、遊技演出を良好に行うことができる。
【００３３】
さらに、遊技者による仕切壁部３１の位置変更操作を不可能にし、遊技場側の従業員等が仕切壁部３１の位置変更操作を行うようにしたので、メダルと景品との交換レート又は遊技モードに応じた適切な位置に、ほぼ間違いなく仕切壁部３１が固定されるようになるうえ、遊技者による位置変更操作が防止されるようになり、遊技場の意図する遊技演出を良好に且つ確実に実現することができる。
【００３４】
（第２実施形態）
図６及び図７は、本発明の第２実施形態を示すものである。図６は、本第２実施形態の要部を示す拡大斜視図、図７は、図６のＶＩＩ−ＶＩＩ線における拡大断面図である。
本第２実施形態は、前記第１実施形態における着脱式の仕切壁部３１を、スロットマシン１の幅方向に沿って摺動可能に設けられた摺動式の仕切壁部５１としたものである。
【００３５】
すなわち、本第２実施形態に係る受け皿５０は、図６及び図７に示すように、前記第１実施形態と同様に、両側に側壁３３Ａ，３３Ｂが設けられた断面Ｕ字形の本体３２を備えたものとなっている。側壁３３Ａ，３３Ｂの互いに対向する側面には、スロットマシン１の幅方向に延びるガイド溝５２が形成されている。ガイド溝５２の内部には、当該ガイド溝５２に応じた長さのガイドレール５３が設けられている。また、側壁３３Ａ  のガイド溝５２が形成されている方の側面には、仕切壁部５１を固定すべき位置Ａ，Ｂ，Ｃに対応して係止穴５４がそれぞれ設けられている。
【００３６】
仕切壁部５１は、本体３２側のガイド溝５２の内部に配置されるとともに、本体３２側のガイドレール５３をその内部に挿通させる摺動耳部５５を備えたものである。すなわち、摺動耳部５５は、仕切壁部５１の側壁３３Ａ，３３Ｂに対向する端面から突出するものであり、ガイドレール５３を挿通させる摺動孔５６を備えている。
仕切壁部５１の内部機構としては、例えば、図７の如く、先端部分５７Ａ  が本体３２側の係止穴５４に挿入可能となったラッチ部材５７が、図７中左右に摺動可能に設けられたものが採用できる。このような仕切壁部５１の内部には、ラッチ部材５７を摺動方向に沿うように案内するガイド片５８Ａ〜５８Ｃと、ラッチ部材５７を図７中右方へ付勢するためのコイルスプリング５９とが設けられている。
【００３７】
ラッチ部材５７は、図７の如く、細長い棒状の部材である。ラッチ部材５７の中間部分には、当該ラッチ部材５７を操作するために、遊技者等の指と係合させる指掛け部５７Ｂ  が設けられている。この指掛け部５７Ｂ  は、仕切壁部５１に設けられた挿通孔５１Ａ  から外部へ突出している。
ここで、ラッチ部材５７は、その先端部分５７Ａ  と指掛け部５７Ｂ  との間の部分が、一対のガイド片５８Ａ  に挟まれて摺動自在に支持され、その後端部分５７Ｃ  が一対のガイド片５８Ｂ  に挟まれて摺動自在に支持されている。
【００３８】
また、ラッチ部材５７は、指掛け部５７Ｂ  の図７中下方の部分がガイド片５８Ｃ  に摺動自在に支持されている。これにより、指掛け部５７Ｂ  に指を係合させて操作する際に、指掛け部５７Ｂ  が押圧されても、ラッチ部材５７が大きく撓まないようになっている。
【００３９】
ラッチ部材５７の後端部分５７Ｃ  と指掛け部５７Ｂ  との中間部には、ラッチ部材５７の径方向に広がる鍔部５７Ｄ  が設けられている。前述のコイルスプリング５９は、ラッチ部材５７の後端部分５７Ｃ  から挿通され、後端部分５７Ｃ  と鍔部５７Ｄ  との間に配置されている。そして、コイルスプリング５９は、一端が鍔部５７Ｄ  に当接し、他端が仕切壁部３１側のガイド片５８Ｂ  に当接している。これにより、ラッチ部材５７は、コイルスプリング５９の弾性力により、図７中右方へ付勢されている。
【００４０】
このような本実施形態では、遊技者は、指掛け部５７Ｂ  に指を係合し、コイルスプリング５９の弾性力に抗して、ラッチ部材５７を図７中左方へ移動させ、ラッチ部材５７の先端部分５７Ａ  を本体３２側の係止穴５４から抜き、仕切壁部５１を摺動可能な状態にする。そして、この状態で、仕切壁部５１を摺動させ、位置Ａ〜Ｃのうち、自分の好みの位置に仕切壁部５１を移動し、この後、指掛け部５７Ｂ  から指を離せば、当該位置に仕切壁部５１が固定され、これにより、受け皿５０の容量調節が完了し、この後、遊技を開始する。
【００４１】
このような本第２実施形態によっても、前記第１実施形態と同様の効果を達成できる他、次のような効果を付加できる。
すなわち、位置Ａ〜Ｃのうち、自分の好みの位置を遊技者が選択し、選択した位置に仕切壁部５１を、自分で固定できるようにしたので、遊技場側が切り替えた遊技モードに対応した位置に仕切壁部５１を固定できるようになるだけでなく、自分が目標とする成績に対応した枚数のメダルを収納できる位置に仕切壁部５１を固定することもでき、当該位置に仕切壁部５１を固定すれば、遊技者が目標とする遊技成績の達成率を容易に把握でき、遊技者自身が遊技を演出でき、この点からも、遊技演出を良好に行うことができる。
【００４２】
また、本体３２側にガイドレール５３を設け、仕切壁部５１側に摺動孔５６を設け、ガイドレール５３を摺動孔５６に挿通させ、これにより、仕切壁部５１をガイドレール５３に沿って摺動可能としたので、遊技者には、仕切壁部５１をガイドレール５３から取り外すことができず、遊技者が自分で仕切壁部５１の位置を変更するようにしても、仕切壁部５１の紛失を未然に防止できる。
【００４３】
なお、本発明は、前記実施形態に限定されるものではなく、本発明の目的を達成できる範囲における変形及び改良などをも含むものである。
例えば、摺動式の仕切壁部としては、前記第２実施形態のように、ガイドレールに沿って摺動可能となったものに限らず、溝に沿って摺動可能な摺動耳部を備えた摺動式の仕切壁部でもよい。
すなわち、図８に示すように、開口部分の幅よりも底面の幅の方が広いガイド溝５２Ａ  が本体３２側に設けられ、このガイド溝５２Ａ  の断面形状に対応した摺動耳部５５Ａ  を備え、ガイド溝５２Ａ  の内部に配置した摺動耳部５５Ａ  が、当該ガイド溝５２Ａ  に沿って摺動可能となった仕切壁部５１Ｂ  でもよい。
【００４４】
また、仕切壁部を本体に固定するための仕切壁部固定機構としては、前述の第１及び第２実施形態のように、仕切壁部の内部に摺動可能に設けられたラッチ部材を本体側に係止させて固定を行うものに限らず、仕切壁部を貫通するネジ部材を本体側に螺合させて固定を行うもの等、仕切壁部を複数段階の位置に固定できるものであればよく、仕切壁部固定機構の具体的構造は、実施にあたり適宜選択できる。
【００４５】
【発明の効果】
（請求項１の効果）
本発明は、以上のように構成されているので、以下に記載されるような効果を奏する。
（請求項１の効果）
請求項１記載の発明によれば、次のような効果を奏する。
すなわち、請求項１記載の発明によれば、メダル等のゲーム開始媒体と景品との交換レートに応じて仕切壁部の位置を設定することが可能となるので、交換レートに応じた位置に仕切壁部を配置することにより、受け皿がゲーム開始媒体で満されている割合と、遊技成績とがほぼ一致するようになり、受け皿が、どの程度ゲーム開始媒体で満されているかを見るだけで、おおよその遊技成績が容易に把握でき、遊技演出を良好に行うことができる。
【００４６】
（請求項２の効果）
請求項２記載の発明によれば、上記した請求項１記載の発明の効果に加え、次のような効果を奏する。
すなわち、請求項２記載の発明によれば、スロットマシンの受け皿を仕切壁部で仕切るので、受け皿は、内部が仕切壁部で仕切られても、必要な容量が充分確保でき、受け皿としての機能が損なわれず、内部を仕切られた受け皿でも有効利用できる。
【００４７】
（請求項３の効果）
請求項３記載の発明によれば、上記した請求項１又は２記載の発明の効果に加え、次のような効果を奏する。
すなわち、請求項３記載の発明によれば、遊技者が自分の好みの位置に仕切壁部を固定できるので、遊技場側が切り替えたモードに対応した位置に仕切壁部を固定できるだけでなく、自分が目標とする成績に対応した枚数のメダルを収納できる位置に仕切壁部を固定することもでき、当該位置に仕切壁部を固定すれば、遊技者が目標とする遊技成績の達成率を容易に把握でき、遊技者自身が遊技を演出でき、この点からも、遊技演出を良好に行うことができる。
【００４８】
（請求項４の効果）
請求項４記載の発明によれば、上記した請求項１又は２記載の発明の効果に加え、次のような効果を奏する。
すなわち、請求項４記載の発明によれば、遊技場側の従業員等が仕切壁部の位置変更操作を行うので、メダル等のゲーム開始媒体と景品との交換レートに応じた位置に、ほぼ間違いなく仕切壁部が固定されるようになり、遊技場の意図する遊技演出を良好に且つ確実に行うことができる。
【図面の簡単な説明】
【図１】本発明の第１実施形態に係る遊技機を示す正面図である。
【図２】前記第１実施形態に係る受け皿を示す拡大斜視図である。
【図３】前記第１実施形態に係る受け皿を示す拡大正面図である。
【図４】前記第１実施形態に係る受け皿を示す拡大平面図である。
【図５】前記本第１実施形態に係る仕切壁部を示す図であって、図２のＶ−Ｖ線における拡大断面図である。
【図６】本発明の第２実施形態に係る受け皿を示す拡大斜視図である。
【図７】前記第２実施形態を示す図５に相当する図である。
【図８】本発明の変形例を示す図５に相当する図である。
【符号の説明】
１  遊技機としてのスロットマシン
５  払い出し口
３０，５０  受け皿
３１，５１  仕切壁部
【図１】
2004187813.tif 000003
【図２】
2004187813.tif 000004
【図３】
2004187813.tif 000005
【図４】
2004187813.tif 000006
【図５】
2004187813.tif 000007
【図６】
2004187813.tif 000008
【図７】
2004187813.tif 000009
【図８】
2004187813.tif 000010